(57)【要約】【課題】待機時の消費電力を０ワットに押さえると共に、待機状態から非待機状態へ遷移するための電力が蓄電池に充電されていない場合にも、待機状態から非待機状態に遷移することのできる電源装置を提供する。【解決手段】本発明の一態様に係る電源装置（１）は、待機時に絶縁電源回路（１４）と外部電源との接続を絶つリレー（１８）と、非待機時に絶縁電源回路（１４）から供給される電力により蓄電池（２２）を充電する充電回路（１９）と、蓄電池（２２）から供給される電力によりリレー（１８）を制御するＭＰＵ（１５）と、リレー（１８）と並列に接続されて導通状態と遮断状態とを機械的に切り替えられるスイッチ（１２）と、を備えている。【選択図】図１
2014068421.tif 000002
【特許請求の範囲】
【請求項１】
電源回路と、
待機時に上記電源回路と外部電源との接続を絶つリレーと、
非待機時に上記電源回路から供給される電力により蓄電池を充電する充電回路と、
上記蓄電池から供給される電力により上記リレーを制御する制御部と、
上記リレーと並列に接続されたスイッチであって、導通状態と遮断状態とを機械的に切り替えられるスイッチと、を備えている、
ことを特徴とする電源装置。
【請求項２】
上記充電回路から供給される電力により点灯する表示灯をさらに備え、
上記充電回路は、上記蓄電池に、上記制御部を駆動可能な電荷量が蓄電されたとき、上記表示灯を点灯させる、
ことを特徴とする請求項１に記載の電源装置。
【請求項３】
上記リレーの備えるコイルへの電流の供給を制御することによって上記リレーを制御するリレースイッチをさらに備え、
上記制御部は、上記リレースイッチを制御することによって、上記リレーを制御する、
ことを特徴とする請求項１または２に記載の電源装置。
【請求項４】
請求項１から３の何れか１項に記載の電源装置を備えている、
ことを特徴とする表示装置。
【発明の詳細な説明】
【技術分野】
【０００１】
本発明は、電源装置、および、電源装置を備える表示装置に関する。
【背景技術】
【０００２】
従来から、表示装置（例えば、テレビジョン受像機、電子黒板など）および音声再生装置（例えば、コンポなど）などの装置は、リモートコントローラ（リモコン）などの遠隔操作装置によって電源のＯＮ／ＯＦＦが可能である。また、このような装置には、当該装置の電源がＯＮ状態（つまり、電源装置が非待機時）である場合に駆動するメイン電源回路と、当該装置の電源がＯＦＦ状態（つまり、電源装置が待機時）である場合に駆動するサブ電源回路とを備えた電源装置が備えられていることが一般的である。
【０００３】
具体的には、このような従来の電源装置は、非待機時である場合にメイン電源回路を駆動することにより、装置全体を動作させるための電力を装置に供給している。また、従来の電源装置は、待機時である場合には、サブ電源回路を駆動することにより、リモコンから送信される信号の受信、および、当該信号に基づく非待機時への遷移を可能にしている。
【０００４】
近年、消費電力削減の要請が高まってきているが、従来の電源装置では、待機時中であっても、サブ電源回路において電力が常に消費されてしまう（いわゆる、待機電力が必要となる）という問題、つまり、待機時の消費電力が０ワットにならないという問題があった。
【０００５】
このような問題に対して、例えば、下掲の特許文献１に、非待機時に蓄電池を充電し、待機時に外部電源との接続を遮断した上で蓄電池の放電によってサブ電源回路の駆動を維持する構成が記載されている。
【先行技術文献】
【特許文献】
【０００６】
【特許文献１】特開平１０−４６５４２号公報（１９９８年９月１７日公開）
【発明の概要】
【発明が解決しようとする課題】
【０００７】
しかし、特許文献１に記載の技術では、例えば、待機時が長期間続いた場合などには蓄電池が放電してしまうため、待機状態から非待機状態へ遷移するための電力が蓄電池に残っておらず、サブ電源回路を駆動することができない。このため、待機状態から非待機状態に遷移することができなくなるという問題があった。なお、待機時が長期間続く場合としては、例えば、機器の電源を抜いてユーザが長期間の旅行に行った場合や、製品出荷されてから最初に非待機状態に遷移する場合などを例に挙げることができる。
【０００８】
本発明は、上記の問題に鑑みてなされたものであり、その目的は、待機時の消費電力を０ワットに押さえると共に、待機状態から非待機状態へ遷移するための電力が蓄電池に充電されていない場合にも、待機状態から非待機状態に遷移することのできる電源装置を提供することにある。
【課題を解決するための手段】
【０００９】
本発明に係る電源装置は、上記の課題を解決するために、電源回路と、待機時に上記電源回路と外部電源との接続を絶つリレーと、非待機時に上記電源回路から供給される電力により蓄電池を充電する充電回路と、上記蓄電池から供給される電力により上記リレーを制御する制御部と、上記リレーと並列に接続されたスイッチであって、導通状態と遮断状態とを機械的に切り替えられるスイッチと、を備えている、ことを特徴としている。
【発明の効果】
【００１０】
上記の構成によれば、上記電源装置は、待機時の消費電力を０（Ｗ）に押さえることができると共に、待機状態から非待機状態へ遷移するための電力が蓄電池に充電されていない場合にも、待機状態から非待機状態に遷移することができる。
【図面の簡単な説明】
【００１１】
【図１】本発明の一実施形態に係る電源装置の回路を示す回路図である。
【図２】本発明の他の実施形態に係る電源装置の回路を示す回路図である。
【発明を実施するための形態】
【００１２】
＜実施形態１＞
本実施形態に係る電源装置について、図１を参照して以下に説明する。図１は、本実施形態に係る電源装置１の回路を示す回路図である。
【００１３】
〔電源装置の構成〕
電源装置１は、図１に示すように、外部接続端子１１、スイッチ１２、リモコン受信部１３、絶縁電源回路１４、ＭＰＵ１５、リレースイッチ１７、リレー１８、充電回路１９、放電制御回路２０、ＬＤＯ（Low Drop Out）２１、蓄電池２２、および、ダイオード２３を備えている。
【００１４】
（外部接続端子）
外部接続端子１１は、外部電源（不図示）に接続され、接続された外部電源から電力の供給を受け付ける。なお、本実施形態では、外部電源として交流電源が供給される場合を例に挙げて説明するが、これに限定されるものではなく、外部電源として直流電源が供給されてもよい。
【００１５】
なお、外部接続端子１１は、例えば、コンセントなどによって実現されればよいが、これに限定されるものではない。
【００１６】
（スイッチ）
スイッチ１２は、後述するリレースイッチと並列に接続され、導通状態（ＯＮ状態）と遮断状態（ＯＦＦ状態）とを機械的に切り替えることのできるスイッチである。具体的には、スイッチ１２は、ユーザによって押下されると遮断状態から導通状態に遷移し、押下されている期間中、導通状態を維持する。また、スイッチ１２は、ユーザによって押下が中止されると（つまり、スイッチ１２が離されると）、導通状態から遮断状態へ遷移する。
【００１７】
（リモコン受信部）
リモコン受信部１３は、リモートコントローラ（リモコン）などの遠隔操作装置（不図示）から送信されるリモコン信号を受信する。
【００１８】
なお、遠隔操作装置は、リモコンに限定されるものではなく、例えば、リモコン信号を送信可能な携帯電話およびスマートフォンなどであってもよい。
【００１９】
（絶縁電源回路）
絶縁電源回路１４は、外部接続端子１１を介して供給される交流電圧を、直流電圧に変換して出力する電源回路である。また、絶縁電源回路１４は、当該絶縁電源回路１４の入力端子側と、出力端子側との電気的な接続をされていない（すなわち、絶縁された）電源回路である。
【００２０】
（ＭＰＵ）
ＭＰＵ１５は、電源装置１の各回路を統括的に制御する。また、ＭＰＵ１５は、待機時には、後述する蓄電池２２から供給される電力により、リレースイッチのＯＮ／ＯＦＦを制御する。
【００２１】
また、ＭＰＵ１５は、図１に示すように、Ｖｍ検知部１６を備えている。Ｖｍ検知部１６は、絶縁電源回路１４の出力端子の電位がＶｍに立ち上がったことを検知する。
【００２２】
（リレースイッチ）
リレースイッチ１７は、ＭＰＵ１５によってＯＮ／ＯＦＦ制御され、これによってリレー１８のＯＮ／ＯＦＦを切り替える。
【００２３】
（リレー）
リレー１８は、スイッチとコイルとを含み、コイルに流れる電流のＯＮ／ＯＦＦによってスイッチのＯＮ／ＯＦＦを切り替えることにより、自身のＯＮ／ＯＦＦを切り替える回路素子である。具体的には、リレー１８は、コイルに電流が流れている場合にスイッチがＯＮ状態になることでＯＮ状態となり、コイルに電流が流れていない場合にスイッチがＯＦＦ状態となることでＯＦＦ状態となる。
【００２４】
リレー１８は、この構成により、電源装置１が待機状態である場合（待機時）にＯＦＦ状態となり、絶縁電源回路１４と外部接続端子１１との接続を絶つ。これによって、リレー１８は、電源装置１が待機時である場合に、絶縁電源回路１４と外部電源との接続を絶つ。
【００２５】
なお、本実施形態では、上記の構成を備えるリレーをリレー１８として用いる場合を例に挙げて説明するが、これに限定されるものではなく、例えば、いわゆるラッチ式リレーなどをリレー１８として用いてもよい。
【００２６】
（充電回路）
充電回路１９は、非待機時に絶縁電源回路１４から供給される電力により、蓄電池２２を充電する。また、充電回路１９は、非待機時に絶縁電源回路１４から供給される電圧をＭＰＵ１５にも供給する。
【００２７】
（放電制御回路）
放電制御回路２０は、蓄電池２２に充電されている電力を、リレースイッチ１７を介してリレー１８の備えるコイルに供給することにより、リレー１８のＯＮ／ＯＦＦを切り替える。
【００２８】
（ＬＤＯ）
ＬＤＯ２１は、待機時に、蓄電池２２からＭＰＵ１５に対して一定の電圧を供給する。蓄電池２２は充電状態や放電状態によりその電圧が大幅に変動することがあるため、ＬＤＯ２１により電圧を安定化し、安定化した電圧をＭＰＵ１５に供給する。
【００２９】
なお、ＬＤＯ２１は、ＭＰＵ１５に対し、蓄電池２２から当該ＬＤＯ２１に供給される電圧との差の小さい電圧を供給することができる。
【００３０】
（蓄電池）
蓄電池２２は、非待機時に、充電回路１９から供給される電荷を蓄える（充電）。また、蓄電池２２は、非待機時に充電した電荷を待機時に放電することにより、待機時に電力を必要とする電源装置１の各回路に対し、電力を供給する。
【００３１】
〔電源装置の回路構成〕
次に、電源装置１の回路構成について、図１を参照して説明する。
【００３２】
図１に示すように、外部接続端子１１の一端は絶縁電源回路１４の入力端子の一端に接続され、他端は接続端子３２に接続されている。また、絶縁電源回路１４の入力端子の他端は接続端子３１に接続され、出力端子は端子Ｖｍｏｕｔに接続されている。スイッチ１２の一端は接続端子３２に接続され、他端は接続端子３１に接続されている。
【００３３】
ＭＰＵ１５の端子１５１は絶縁電源回路１４の出力端子に接続され、端子１５２はＬＤＯ２１の出力端子に接続され、端子１５３はリモコン受信部１３の端子１３２に接続され、端子１５４は充電回路１９の端子１９２に接続され、端子１５５はリレースイッチ１７の端子１７１に接続されている。
【００３４】
リモコン受信部１３の端子１３１はＬＤＯ２１の出力端子に接続され、端子１３３は接地されている。充電回路１９の端子１９１は、絶縁電源回路の出力端子に接続され、端子１９３は端子３４に接続されている。また、ＬＤＯ２１の入力端子は端子３４に接続されている。
【００３５】
リレースイッチ１７の端子１７２は端子３３に接続され、端子１７３はリレー１８の端子１８１に接続されている。リレー１８の端子１８２は接地され、端子１８３はスイッチ１２の一端に接続され、端子１８４はスイッチ１２に他端に接続されている。また、ダイオード２３のアノード端子は絶縁電源回路１４の出力端子に接続され、カソード端子は端子３３に接続されている。
【００３６】
さらに、放電制御回路２０の一端は端子３３に接続され、他端は端子３４に接続されている。蓄電池２２の正極は端子３４に接続され、負極は接地されている。
【００３７】
〔電源装置の動作〕
次に、本実施形態に係る電源装置１における、待機状態から非待機状態に遷移する際の動作について、図１を参照して説明する。
【００３８】
（蓄電池の充電が十分である場合の動作）
まず、蓄電池２２の充電が十分である場合の電源装置１の動作について説明する。なお、電荷量は、例えば、蓄電池２２の充電量（アンペアアワー：Ａｈ）によって表すことができる。
【００３９】
ここで、充電が十分であるとは、蓄電池２２に、待機時にＭＰＵ１５を駆動可能な電荷量、すなわち、電源装置１を待機状態から非待機状態に遷移するために必要な電荷量が充電されていることを指す。つまり、蓄電池２２の充電が十分である場合には、蓄電池２２は、待機時にＭＰＵ１５に対して電力の供給が可能であり、ＭＰＵ１５は、電力の供給を受けて駆動することができる。なお、本実施形態では、蓄電池２２は、待機時に、リモコン受信部１３に対しても電力の供給を行う。
【００４０】
まず、リモコン受信部１３は、待機状態から非待機状態へ遷移する旨の指示を示すリモコン信号を受信すると、受信したリモコン信号をＭＰＵ１５に通知する。リモコン信号の通知を受けると、ＭＰＵ１５は、リレースイッチ１７がＯＮ状態となるよう、リレースイッチ１７を制御する。このとき、ＭＰＵ１５は、ＬＤＯ２１を介して蓄電池２２から供給される電力により、動作する。
【００４１】
リレースイッチ１７がＯＮ状態になると、放電制御回路２０は、蓄電池２２からリレースイッチ１７を介してリレー１８に電力を供給する。具体的には、放電制御回路２０は、蓄電池２２に充電されている電荷によってリレー１８の備えるコイルに小電流を流すことにより、リレー１８の備えるスイッチをＯＮ状態とする。このとき、端子３３の電圧がＶａに立ち上がる。
【００４２】
これにより、リレー１８がＯＮ状態となり、外部電源が外部接続端子１１を介して絶縁電源回路１４に供給される。絶縁電源回路１４は、供給された外部電源を直流電源に変換し、出力端子から出力する。このとき、絶縁電源回路１４の出力端子の電圧（つまり、端子Ｖｍｏｕｔの電圧）が、Ｖｍに立ち上がる。
【００４３】
また、絶縁電源回路１４の出力端子の電圧がＶｍに立ち上がると、ダイオード２３を介し、絶縁電源回路１４の出力電圧Ｖｍを用いて端子３３に電圧Ｖａを印加することができるようになる。したがって、絶縁電源回路１４の出力端子の電圧がＶｍに立ち上がると、放電制御回路２０は蓄電池２２からの電力の供給を停止し、充電回路１９は蓄電池２２の充電を開始する。
【００４４】
また、電源装置１は、待機状態において、蓄電池２２に充電された電力が放電し切る前に蓄電池２２の再充電を行うことによって、蓄電池２２の充電を十分な状態に保つ動作を行ってもよい。
【００４５】
具体的には、ＭＰＵ１５は、待機状態において、充電回路１９を介して端子１５４に印加される蓄電池２２の電圧値を監視する。ＭＰＵ１５は、監視する蓄電池２２の電圧値と、所定の閾値とを比較し、蓄電池２２の充電が、電源装置１を待機状態から非待機状態に遷移させるのに必要な電力を十分に上回っているか否かを判定する。
【００４６】
蓄電池２２の電圧値が閾値以下になると、ＭＰＵ１５は、蓄電池２２の充電が電源装置１を待機状態から非待機状態に遷移させるのに必要な電力を十分に上回っていないと判定する。
【００４７】
ＭＰＵ１５は、蓄電池２２の充電が電源装置１を待機状態から非待機状態に遷移させるのに必要な電力を十分に上回っていないと判定すると、リレー１８をＯＮ状態に遷移させる。ＭＰＵ１５は、リレー１８をＯＮ状態にすることによって、絶縁電源回路１４を動作させ、端子Ｖｍｏｕｔの電圧をＶｍに立ち上げることにより、蓄電池２２の充電を開始する。
【００４８】
ＭＰＵ１５は、蓄電池２２の充電が完了する（つまり、満充電になる）と、リレー１８をＯＦＦ状態に遷移させ、蓄電池２２の充電を停止する。
【００４９】
ＭＰＵ１５は、待機時に上述の動作を行うことにより、充電が不十分になるほど蓄電池２２が放電してしまう前に蓄電池２２を充電し、リモコン信号を受け付け可能な状態を維持することができる。
【００５０】
（蓄電池の充電が不十分である場合の動作）
次に、蓄電池２２の充電が不十分である場合、すなわち、待機時にＭＰＵ１５を駆動可能な電荷量が蓄電池に充電されていない場合の電源装置１の動作について説明する。
【００５１】
なお、蓄電池２２の充電が不十分な場合としては、例えば、待機状態が長期間続いたために蓄電池が放電してしまった場合などを挙げることができるが、これに限定されるものではない。
【００５２】
まず、スイッチ１２がユーザによって押下され、導通状態に遷移すると、外部接続端子１１から入力される外部電源は、導通状態となったスイッチ１２を介して絶縁電源回路１４に供給され、電源装置１は、待機状態から非待機状態に遷移する。絶縁電源回路１４は、供給された外部電源を直流電源に変換し、出力端子から出力する。このとき、絶縁電源回路１４の出力端子の電圧（つまり、端子Ｖｍｏｕｔの電圧）が立ち上がり、Ｖｍとなる。
【００５３】
絶縁電源回路１４の出力端子の電圧がＶｍに立ち上がると、充電回路１９はＭＰＵ１５に電力を供給し、ＭＰＵ１５は駆動を開始する。また、充電回路１９は、蓄電池２２に電力を供給し、蓄電池２２の充電を開始する。
【００５４】
ＭＰＵ１５は、Ｖｍ検知部１６において、絶縁電源回路１４の出力端子の電圧がＶｍに立ち上がったことを検知すると、リレースイッチ１７がＯＮ状態となるよう、リレースイッチ１７を制御する。これにより、リレー１８がＯＮ状態となる。
【００５５】
リレー１８がＯＮ状態になると、外部接続端子１１に接続された外部電源が、リレー１８を介して絶縁電源回路１４に供給される。これによって、ユーザがスイッチ１２を離して遮断状態に遷移した場合でも、外部接続端子１１から入力される外部電源は、リレー１８を介して絶縁電源回路１４に供給され続けるようになる。
【００５６】
一方、蓄電池２２の充電が進むと、蓄電池２２からＭＰＵ１５への電力の供給が可能となる。具体的には、充電が進むと、蓄電池２２は、ＬＤＯ２１を介してＭＰＵ１５に電力を供給し、放電制御回路２０を介して端子３３に電力を供給する（すなわち、リレー１８に電力を供給する）ことができるようになる。このとき、ＭＰＵ１５の端子１５２、および、端子３３の電圧はＶａに立ち上がる。
【００５７】
ユーザがスイッチ１２を離して遮断状態に遷移すると、外部接続端子１１から入力される外部電源は、リレー１８を介して絶縁電源回路１４に供給され続ける。さらに、電源装置１が非待機状態から待機状態へ遷移すると、上述のようにして充電された蓄電池２２から、リモコン受信部１３およびＭＰＵ１５に電力が供給される。これによって、電源装置１は、リモコン信号を受信した際の待機状態から非待機状態への遷移が可能となる。
【００５８】
上記の構成によれば、ＭＰＵ１５は、非待機時に蓄電池２２から供給される電力によりリレー１８を制御することによって、絶縁電源回路１４と外部接続端子１１とを接続し、電源装置１を待機状態から非待機状態に遷移させる。すなわち、電源装置１、待機状態から非待機状態に遷移するまで外部電力を消費せず、非待機時に充電した蓄電池２２から供給される電力によって待機状態から非待機状態への遷移を制御する。これによって、電源装置１は、待機時の消費電力を０ワットに押さえることができる。
【００５９】
また、上述の構成によれば、電源装置１は、ＭＰＵ１５を駆動させるだけの電荷量（十分な電力）、すなわち、待機状態から非待機状態に遷移するための電荷量が蓄電池２２に充電されていない場合にも、待機状態から非待機状態に遷移することができる。
【００６０】
なお、本実施形態では、蓄電池２２の充電が不十分であるときにスイッチ１２が押下された場合、電源装置１が、待機状態から非待機状態に遷移すると共に、蓄電池２２の充電を行う構成を例に挙げて説明したが、これに限定されるものではない。例えば、蓄電池２２の充電が不十分であるときにスイッチ１２が押下された場合に、電源装置１は待機状態から非待機状態に遷移せず、蓄電池２２の充電のみが行われる構成を採用してもよい。
【００６１】
＜実施形態２＞
本発明の他の実施形態について、図２を参照して以下に説明する。なお、説明の便宜上、実施形態１に係る構成要素と同様の機能を有する構成要素には同一の番号を付し、その説明を省略する。本実施形態では、主に、実施形態１との相違点について説明するものとする。
【００６２】
図２は、本実施形態に係る電源装置２の回路を示す回路図である。
【００６３】
〔電源装置の構成〕
電源装置２は、図２に示すように、外部接続端子１１、スイッチ１２、リモコン受信部１３、絶縁電源回路１４、ＭＰＵ１５、リレースイッチ１７、リレー１８、充電回路１９、放電制御回路２０、ＬＤＯ２１、蓄電池２２、ダイオード２３、および、表示灯２４を備えている。
【００６４】
（充電回路）
充電回路１９は、表示灯２４の点灯および消灯を制御する。具体的には、充電回路１９は、蓄電池２２の充電が十分である場合に、表示灯２４に電力を供給し、表示灯２４を点灯させる。また、充電回路１９は、蓄電池２２の充電が不十分である場合に、表示灯２４への電力の供給を停止し、表示灯２４を消灯させる。
【００６５】
（表示灯）
表示灯２４は、充電回路１９によって制御され、点灯および消灯により蓄電池２２の充電が十分であるか否かを示す。具体的には、表示灯２４は、点灯することにより、蓄電池２２の充電が十分であることを示し、消灯することにより、蓄電池２２の充電が不十分であることを示す。
【００６６】
なお、図２に示すように、表示灯２４の入力端子は充電回路１９の端子１９４に接続され、出力端子は接地されている。また、表示灯２４は、例えば、ＬＥＤ（発光ダイオード）などを用いて実現することができるが、これに限定されるものではない。
【００６７】
〔電源装置の動作〕
次に、本実施形態に係る電源装置２における、待機状態から非待機状態に遷移する際の動作について、図２を参照して説明する。
【００６８】
なお、蓄電池２２の充電が十分である場合の動作は、表示灯２４が常時点灯していることを除いて、実施形態１に記載した動作と同様であるため、その説明を省略する。
【００６９】
（蓄電池の充電が不十分である場合の動作）
次に、蓄電池２２の充電が不十分である場合、すなわち、ＭＰＵ１５を駆動可能な電荷量が蓄電池に充電されていない場合の電源装置２の動作について説明する。
【００７０】
蓄電池２２の充電が不十分である場合には、表示灯２４は点灯せず、消灯している。この状態で、スイッチ１２がユーザによって押下され、導通状態に遷移すると、外部接続端子１１から入力される外部電源は、導通常体となったスイッチ１２を介して絶縁電源回路１４に供給される。絶縁電源回路１４は、供給された外部電源を直流電源に変換し、出力端子から出力する。このとき、絶縁電源回路１４の出力端子の電圧（つまり、端子Ｖｍｏｕｔの電圧）が立ち上がり、Ｖｍとなる。
【００７１】
絶縁電源回路１４の出力端子の電圧がＶｍに立ち上がると、充電回路１９はＭＰＵ１５に電力を供給し、ＭＰＵ１５は駆動を開始する。また、充電回路１９は、蓄電池２２に電力を供給し、蓄電池２２は充電を開始する。
【００７２】
蓄電池２２の充電が進むと、蓄電池２２からＭＰＵ１５への電力の供給が可能となる。具体的には、充電が進むと、蓄電池２２は、ＬＤＯ２１を介してＭＰＵ１５に電力を供給し、放電制御回路２０を介して端子３３に電力を供給する（すなわち、リレー１８に電力を供給する）ことができるようになる。このとき、ＭＰＵ１５の端子１５２、および、端子３３の電圧は、Ｖａに立ち上がる。
【００７３】
一方、ＭＰＵ１５は、Ｖｍ検知部１６において、絶縁電源回路１４の出力端子の電圧がＶｍに立ち上がったことを検知すると、リレースイッチ１７がＯＮ状態となるよう、リレースイッチ１７を制御する。これにより、リレー１８がＯＮ状態となる。
【００７４】
リレー１８がＯＮ状態になると、外部接続端子１１に接続された外部電源が、リレー１８を介して絶縁電源回路１４に供給される。これによって、ユーザがスイッチ１２を離して遮断状態に遷移した場合でも、外部接続端子１１から入力される外部電源は、リレー１８を介して絶縁電源回路１４に供給され続けるようになる。
【００７５】
なお、蓄電池２２が十分充電されると、充電回路１９は、絶縁電源回路１４から供給される電力を表示灯２４に供給する。電力の供給を受けると、表示灯２４は点灯する。ユーザは表示灯２４が点灯していることによって、蓄電池２２が十分充電されたことを、容易に認識することができる。
【００７６】
ユーザがスイッチ１２を離して遮断状態に遷移すると、外部接続端子１１から入力される外部電源は、リレー１８を介して絶縁電源回路１４に供給され続ける。ユーザが表示灯２４の点灯を確認した上でスイッチ１２を離している場合には、蓄電池２２が十分充電されているため、電源装置１が非待機状態から待機状態へ遷移しても、蓄電池２２は、リモコン受信部１３およびＭＰＵ１５に電力を供給することができる。これによって、電源装置１は、リモコン信号を受信した際にＭＰＵ１５を駆動することができ、待機状態から非待機状態への遷移が可能となる。
【００７７】
上述の構成によれば、電源装置１は、蓄電池２２が十分に充電されていない場合、すなわち、蓄電池２２が放電してしまった場合にも、待機状態から非待機状態に遷移することができる。
【００７８】
さらに、蓄電池２２が十分に充電されたことを契機として表示灯２４が点灯することにより、ユーザは、スイッチ１２をどのタイミングで離してよいかを、容易に認識することができる。これによって、蓄電池２２が十分に充電される前にユーザがスイッチ１２を離してしまうことを防ぐことができる。
【００７９】
なお、本実施形態では、蓄電池２２の充電が十分である場合に表示灯２４が点灯し続ける場合を例に挙げて説明したが、これに限定されるものではない。例えば、待機時にリモコン信号を受信したときに、蓄電池２２の充電が十分であれば表示灯２４を点灯する構成を採用してもよい。
【００８０】
この構成によれば、表示灯２４の点灯時間を短くすることができるため、待機時に表示灯２４を点灯させるための消費電力を削減することができるため、蓄電池２２の放電の量を低減することができる。
【００８１】
〔まとめ〕
本発明の一態様にかかる電源装置１は、上述したように、電源回路（絶縁電源回路１４）と、待機時に上記電源回路と外部電源との接続を絶つリレー１８と、非待機時に上記電源回路から供給される電力により蓄電池２２を充電する充電回路１９と、上記蓄電池２２から供給される電力により上記リレー１８を制御する制御部（ＭＰＵ１５）と、上記リレー１８と並列に接続されたスイッチ１２であって、導通状態と遮断状態とを機械的に切り替えられるスイッチ１２と、を備えている、ことを特徴としている。
【００８２】
上記の構成によれば、上記制御部は、非待機時に上記蓄電池２２から供給される電力により上記リレー１８を制御することによって、上記電源回路と上記外部電源とを接続し、上記電源装置１を待機状態から非待機状態に遷移させる。すなわち、上記電源装置１は、待機状態から非待機状態に遷移するまでは上記外部電力を消費することなく、非待機時に充電した上記蓄電池２２から供給される電力によって待機状態から非待機状態への遷移を制御する。
【００８３】
これによって、上記電源装置１は、待機時の消費電力を０ワットに押さえることができる。
【００８４】
また、上記電源装置１は、上記蓄電池２２に上記制御部を駆動可能な電荷量が充電されていない場合には、上記制御部によって上記リレー１８を制御する代わりに、上記スイッチ１２を導通状態に切り替えることによって、上記電源回路と上記外部電源とを接続させることにより、上記電源装置１を待機状態から非待機状態に遷移することができる。
【００８５】
これによって、上記電源装置１は、上記制御部を駆動可能な電荷量、すなわち、待機状態から非待機状態に遷移するために必要な電荷量が、上記蓄電池２２に充電されていない場合にも、待機状態から非待機状態に遷移することができる。
【００８６】
本発明の一態様に係る電源装置１は、上記充電回路１９から供給される電力により点灯する表示灯２４をさらに備え、上記充電回路１９は、上記蓄電池２２に、上記制御部を駆動可能な電荷量が蓄電されたとき、上記表示灯２４を点灯させる、ことが好ましい。
【００８７】
上記の構成によれば、上記充電回路１９は、上記制御部を駆動可能な電荷量が上記蓄電池２２に充電されている場合に、上記表示灯２４を点灯させる。換言すれば、上記充電回路１９は、上記制御部を駆動可能な電荷量が上記蓄電池２２に充電されていない場合には、上記表示灯２４を点灯させない。
【００８８】
したがって、上記電源装置１は、待機状態から非待機状態への遷移に際し、上記リレー１８の制御によって遷移が可能である場合と、上記スイッチ１２による切り替えが必要となる場合とを、上記表示灯２４によって示すことができる。これによって、ユーザは、上記電源装置１が、待機状態から非待機状態への遷移の際に、上記スイッチ１２による切り替えが必要であるか否かを容易に認識することができる。
【００８９】
本発明の一態様に係る電源装置１は、上記リレー１８の備えるコイルへの電力の供給を制御することによって上記リレー１８を制御するリレースイッチ１７をさらに備え、上記制御部は、上記リレースイッチ１７を制御することによって、上記リレーを制御する、ことが好ましい。
【００９０】
上記の構成によれば、上記制御部は、上記リレースイッチを制御することにより、上記リレーの備えるコイルへの電流の供給を制御する。ここで、リレーは、当該リレーの備えるコイルに小電流が流れることにより、当該リレーの備えるスイッチの状態が切り替わる素子である。
【００９１】
これによって、上記制御部は、上記リレースイッチを制御して上記リレーの備えるコイルに小電流を流すことにより、上記外部電源から供給される電力によって流れる大電流を制御することができる。
【００９２】
上記電源装置１を備えていることを特徴とする表示装置もまた、本発明の範疇に含まれる。
【００９３】
なお、表示装置としては、例えば、テレビジョン受像機、および、電子黒板などを例に挙げることができる。
【００９４】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９５】
本発明の電源装置は、表示装置（例えば、テレビジョン受像機、電子黒板など）および音声再生装置（例えば、コンポなど）など、遠隔操作装置を用いて電源のＯＮ／ＯＦＦを切り替えることのできる装置の電源装置に好適に利用することができる。
【符号の説明】
【００９６】
１、２      電源装置
１１        外部接続端子
１２        スイッチ
１３        リモコン受信部
１４        絶縁電源回路（電源回路）
１５        ＭＰＵ（制御部）
１６        Ｖｍ検知部
１７        リレースイッチ
１８        リレー
１９        充電回路
２０        放電制御回路
２１        ＬＤＯ
２２        蓄電池
２３        ダイオード
２４        表示灯
【図１】
2014068421.tif 000003
【図２】
2014068421.tif 000004